(57)【要約】  本発明の一側面は、バンドル化された複数の熱可塑性樹脂の延伸ファイバを備える、異方熱伝導性樹脂部材である。
2019168038.tif 000002
【特許請求の範囲】
【請求項１】
バンドル化された複数の熱可塑性樹脂の延伸ファイバを備える、異方熱伝導性樹脂部材。
【請求項２】
熱可塑性樹脂を延伸して延伸ファイバを作製する工程と、
複数の前記延伸ファイバをバンドル化する工程と、を備える、異方熱伝導性樹脂部材の製造方法。
【発明の詳細な説明】
【技術分野】
【０００１】
本発明は、異方熱伝導性樹脂部材及びその製造方法に関する。
【背景技術】
【０００２】
近年、電子デバイスにおいては、電子部品の高集積化、小型化、薄型化等に伴って、電子部品から発生する熱がその内部に蓄積され、電子デバイスの誤作動、寿命の低下等の信頼性の問題が生じやすくなっている。したがって、電子部品から発生する熱を適切な経路で効率的に外部へ逃がすことが重要となる。【０００３】
このような問題に対して、熱伝導性に優れ、かつ電気絶縁性を有する樹脂製の部材を電子部品とヒートシンクとの間に設けることが行われている。このようなシートとして、例えば特許文献１には、熱伝導性フィラー、繊維及び樹脂を含む熱伝導シートであって、繊維は面状に交絡しており、交絡した繊維は、熱伝導性フィラーを坦持してベースシートを形成しており、樹脂がベースシートに充填されていることを特徴とする熱伝導シートが開示されている。
【先行技術文献】
【特許文献】
【０００４】
【特許文献１】特開２０１７−８７４４６号公報
【発明の概要】
【発明が解決しようとする課題】
【０００５】
しかし、熱は方向性なく等方的に伝導するため、特許文献１に記載されているような熱伝導性シートを用いた場合、熱を伝導させるべき方向（電子部品からヒートシンクへ向かう方向）のみならず、例えば電子デバイス中の他の電子部品の方向へも熱が伝導してしまう。この場合、熱に弱い電子部品が熱にさらされることになり、電子デバイスの信頼性が損なわれるおそれがある。しかし、樹脂は結晶構造のような規則的な構造をとりにくいため、樹脂製の部材において、熱伝導に異方性（指向性）を自在に与えることは難しい。【０００６】
そこで、本発明は、効率良く異方的に熱伝導させることが可能な樹脂部材及びその製造方法を提供することを目的とする。
【課題を解決するための手段】
【０００７】
本発明の一側面は、バンドル化された複数の熱可塑性樹脂の延伸ファイバを備える、異方熱伝導性樹脂部材である。【０００８】
この樹脂部材では、延伸ファイバが、高い配向性を有するファイバであるため、結晶性の低い熱可塑性樹脂で形成されているにもかかわらず、フォノン（熱伝導を担う準粒子）を延伸ファイバ内に閉じ込めやすくなる。したがって、この樹脂部材では、熱が一様に広がらずに延伸ファイバの延在方向に異方性（指向性）をもって伝導する。さらに、この樹脂部材では、複数の延伸ファイバがバンドル化されていることによって、熱伝導の経路（延伸ファイバ）の断面積が大きくなっているため、効率の良い熱伝導が可能となる。【０００９】
本発明の他の一側面は、熱可塑性樹脂を延伸して延伸ファイバを作製する工程と、複数の延伸ファイバをバンドル化する工程と、を備える、異方熱伝導性樹脂部材の製造方法である。【００１０】
この製造方法では、延伸により高い配向性を有するファイバを作製することで、結晶性の低い熱可塑性樹脂で形成されているにもかかわらず、フォノンをファイバ内に閉じ込めやすい延伸ファイバが得られる。したがって、この製造方法では、延伸ファイバの延在方向に異方性（指向性）をもって熱を伝導させる樹脂部材が得られる。さらに、この製造方法では、複数の延伸ファイバをバンドル化することによって、熱伝導の経路（延伸ファイバ）の断面積を大きくしているため、効率の良い熱伝導が可能な樹脂部材が得られる。
【発明の効果】
【００１１】
本発明によれば、効率良く異方的に熱伝導させることが可能な樹脂部材及びその製造方法を提供することができる。
【図面の簡単な説明】
【００１２】
【図１】（ａ）は一実施形態に係る樹脂部材を示す斜視図であり、（ｂ）は延伸ファイバ内のフォノンの移動を示す模式図である。
【図２】一実施形態に係る延伸ファイバ作製工程を示す模式図である。
【発明を実施するための形態】
【００１３】
以下、図面を適宜参照しながら、本発明の実施形態について詳細に説明する。
【００１４】
図１（ａ）は、一実施形態に係る樹脂部材を示す斜視図である。図１（ａ）に示すように、樹脂部材１は、バンドル化された複数の延伸ファイバ（ファイバ素線とも呼ばれる）２を備え、ファイバ状に形成されている。
【００１５】
複数の延伸ファイバ２同士は、例えば延伸ファイバ２同士を結合する結合材３によって、互いに略同一方向に延在するように束ねられている（バンドル化されている）。複数の延伸ファイバ２は、断面でみたときに、規則的に配列されていてもよく、不規則に配置されていてもよい。延伸ファイバ２の断面形状は、例えば図１（ａ）に示すように略真円状であってよく、楕円状、多角形状等の定形であってもよく、不定形であってもよい。
【００１６】
延伸ファイバ２は、熱可塑性樹脂が延伸されてなるファイバである。熱可塑性樹脂は、例えば、アクリルポリマー、メタクリルポリマー、ポリアミド、ポリエチレンテレフタレート、ポリアリレート、ポリスルフォン、ポリエーテルエーテルケトン等であってよい。
【００１７】
延伸ファイバ２の直径（最大径）は、フォノンの閉じ込めやすさとフォノンの入射の容易さとの両立の観点から、好ましくは０．１μｍ以上、より好ましくは１０μｍ以上、更に好ましくは１００μｍ以上である。延伸ファイバ２の直径（最大径）は、バンドル化するときのハンドリング性の観点から、好ましくは１０００μｍ以下、より好ましくは５００μｍ以下、更に好ましくは２００μｍ以下である。
【００１８】
結合材３は、特に制限されるものでなく、例えば、ポリウレタン、アクリルポリマー、エポキシ樹脂等で構成されていてよい。
【００１９】
図１（ｂ）は、延伸ファイバ２におけるフォノンの移動を示す模式図である。この樹脂部材１では、延伸ファイバ２が、高い配向性を有するファイバであるため、結晶性の低い熱可塑性樹脂で形成されているにもかかわらず、図１（ｂ）に示すように、フォノンＰを延伸ファイバ２内に閉じ込めやすくなる。したがって、熱（フォノン）が延伸ファイバ２の延在方向に異方性（指向性）をもって伝導する。すなわち、この樹脂部材１は、延伸ファイバ２間ではフォノンが伝導しにくく、延伸ファイバ２の延在方向の一方向に異方的に熱を伝導可能な異方熱伝導性を有している。さらに、この樹脂部材１では、複数の延伸ファイバ２がバンドル化されていることによって、熱伝導の経路（延伸ファイバ２）の断面積が大きくなっているため、効率の良い熱伝導が可能となる。
【００２０】
続いて、樹脂部材１の製造方法について説明する。この製造方法は、熱可塑性樹脂を延伸して延伸ファイバを作製する工程（延伸ファイバ作製工程）と、複数の延伸ファイバをバンドル化する工程（バンドル化工程）と、を備えている。
【００２１】
図２は、一実施形態に係る延伸ファイバ作製工程を示す模式図である。延伸ファイバ作製工程では、まず、図２に示すように、熱可塑性樹脂４を、加熱炉５で加熱すると共に巻取り部６で巻き取る（引っ張る）ことによって巻取り方向（引張り方向）に延伸する。具体的には、まず、例えば直径５〜５０ｍｍのロッド状に成形された熱可塑性樹脂４を加熱炉５に投入する。熱可塑性樹脂４は、加熱炉５内で加熱されると共に、加熱炉５の先に設置された巻取り部６によって巻き取られる（引っ張られる）ことによって延伸される。
【００２２】
加熱炉５の温度は、熱可塑性樹脂４の軟化温度に応じて適宜設定され、熱可塑性樹脂４の延伸時に配向性を好適に付与する観点から、好ましくは、熱可塑性樹脂の熱変形温度以上融点未満の温度である。熱可塑性樹脂４の延伸は、例えば、延伸倍率が１０〜１０００倍となるような条件で行われる。
【００２３】
このようにして加熱炉５から出てきた延伸ファイバ２は、加熱炉５に投入前の熱可塑性樹脂４の径（ロッドの直径）よりも小径の細線状に形成されている。延伸ファイバ２は、加熱炉５と巻取り部６との間に適宜設けられたロール７に沿って、巻取り部６に巻き取られる。
【００２４】
延伸ファイバ作製工程に続くバンドル化工程では、延伸ファイバ２を複数用意し、これらの複数の延伸ファイバ２を、結合材３を用いてバンドル化する。バンドル化する方法は、公知の方法であってよい。これにより、樹脂部材１が得られる。
【００２５】
以上説明した及び樹脂部材１の製造方法では、延伸により高い配向性を有する延伸ファイバ２を作製することで、結晶性の低い熱可塑性樹脂で形成されているにもかかわらず、フォノンＰをファイバ内に閉じ込めやすい延伸ファイバ２が得られる。したがって、この製造方法では、延伸ファイバ２の延在方向に異方性（指向性）をもって熱を伝導させる樹脂部材１が得られる。さらに、樹脂部材１の製造方法では、複数の延伸ファイバ２をバンドル化することによって、熱伝導の経路（延伸ファイバ２）の断面積を大きくしているため、効率の良い熱伝導が可能な樹脂部材１が得られる。
【符号の説明】
【００２６】
１…樹脂部材、２…延伸ファイバ、４…熱可塑性樹脂。
【図１】
2019168038.tif 000003
【図２】
2019168038.tif 000004
【国際調査報告】
2019168038.tif 000005
2019168038.tif 000006
2019168038.tif 000007
2019168038.tif 000008